(57)【特許請求の範囲】
【請求項１】
断面略コ字状の断熱壁と側板により前面に開口する陳列室を構成し、前記側板は、鋼板製の内板と、硬質合成樹脂にて構成された外板と、これら内板と外板間に発泡充填された断熱材とから構成されたショーケースにおいて、
前記側板に設けられたガラス部材を備え、該ガラス部材付近であって断熱材の注入口に対向する位置には、断熱材指向部材が設けられていることを特徴とするショーケース。
【請求項２】
前記外板には、周縁が内方に向けて折曲して形成されたフランジが形成されていると共に、更にその前部と、上部及び下部に、内方に折曲して形成された案内部が設けられていることを特徴とする請求項１のショーケース。
【請求項３】
前記外板の内面に鋼板を設けたことを特徴とする請求項１、請求項２のショーケース。
【発明の詳細な説明】
【０００１】
【発明の属する技術分野】
本発明は、前面に開口する陳列室を有し、この陳列室内に商品を収納陳列して成るショーケースに関するものである。
【０００２】
【従来の技術】
この種の従来のショーケースは、断面略コ字状の断熱壁と、据え付け現場においてこの断熱壁の両側に取り付けられる側板とから構成されている。この側板１００は図１１に示す如く鋼板製の内板１０１と、硬質合成樹脂にて構成された図示しない外板と、これら内板１０１と外板間に発泡充填された断熱材１０３とから構成されている。また、側板１００の下部には図示しない陳列室内が透視可能とされるためのガラス部材１０５が設けられている。
【０００３】
そして、この側板１００を組み立てる際には、内板１０１及び外板を発泡治具に固定し、内板１０１の後端１０６に形成された注入孔により、例えばウレタンなどによって構成される断熱材１０３を充填発泡させることにより内板１０１及び外板を接着していた。
【０００４】
【発明が解決しようとする課題】
しかしながら、従来の側板１００は鋼板製の内板１０１と硬質樹脂製の外板によって構成されていたため、陳列室内と外部との温度差から、内板１０１と外板の膨張率の相違によって側板１００が変形してしまう問題があった。
【０００５】
また、側板１００は、断熱材１０３の注入時において、断熱材１０３は前記注入孔の対向する内板１０１及び外板の接合面に到達し、係る内板１０１と外板の接合面から発泡され、全体に拡がっていた。そのため、断熱材１０３の発泡圧力によって、断熱材１０３が外部に漏出する問題があった。
【０００６】
そこで、本発明は従来の技術的課題を解決するために成されたものであり、側板の変形を未然に回避すると共に、断熱材の漏出を防止することができるショーケースを提供するものである。
【０００７】
【課題を解決するための手段】
本発明のショーケースは、断面略コ字状の断熱壁と側板により前面に開口する陳列室を構成し、側板は、鋼板製の内板と、硬質合成樹脂にて構成された外板と、これら内板と外板間に発泡充填された断熱材とから構成されたものであって、側板に設けられたガラス部材を備え、このガラス部材付近であって断熱材の注入口に対向する位置には、断熱材指向部材が設けられていることを特徴とする。
【０００８】
本発明によれば、断面略コ字状の断熱壁と側板により前面に開口する陳列室を構成し、側板は、鋼板製の内板と、硬質合成樹脂にて構成された外板と、これら内板と外板間に発泡充填された断熱材とから構成されたショーケースにおいて、側板には、ガラス部材が設けられ、このガラス部材付近であって断熱材の注入口に対向する位置には、断熱材指向部材が設けられているので、断熱材が直接内板と外板の接合面に到達し、発泡圧によって断熱材が漏出することを未然に回避することができるようになる。
【０００９】
また、充填された断熱材はガラス部材付近に設けられた断熱材指向部材に到達し、係る指向部材付近から断熱材が発泡し、ガラス部材付近に断熱材が密となり、ガラス部材付近の断熱効果を向上させることができるようになる。
【０００９】
請求項２の発明のショーケースは、請求項１の発明に加えて、外板には、周縁が内方に向けて折曲して形成されたフランジが形成されていると共に、更にその前部と、上部及び下部に、内方に折曲して形成された案内部が設けられていることを特徴とする。
【００１０】
請求項２の発明によれば、請求項１の発明に加えて、外板には、周縁が内方に向けて折曲して形成されたフランジが形成されていると共に、更にその前部と、上部及び下部に、内方に折曲して形成された案内部が設けられているので、係る案内部に沿って容易に前記内板を挿入することができると共に、断熱材の発泡圧によって、断熱材が漏出することを未然に回避することができるようになる。
【００１１】
請求項３の発明のショーケースは、請求項１又は請求項２の発明に加えて外板の内面に鋼板を設けたことを特徴とする。
【００１２】
請求項３の発明によれば、請求項１又は請求項２の発明に加えて外板の内面に鋼板を設けたので、陳列室内と外部との温度差から、内板と外板の膨張率の相違によって生じる側板の変形を未然に回避することができるようになる。
【００１４】
【発明の実施の形態】
以下、図面に基づき本発明の実施形態を詳述する。図１は本発明のショーケース１の正面図、図２はショーケース１の縦断側面図である。本発明のショーケース１は、例えばスーパーマーケットなどの店舗内に据え付けられる冷蔵タイプの縦型オープンショーケースであり、本体を構成する断面略コ字状の断熱壁２と、この断熱壁２の両側に取り付けられる詳細は後述する側板３、３とから構成されている。なお、本実施例の側板３は、前部が、上部から下部にかけて湾曲して徐々に広く形成されている。
【００１５】
断熱壁２の内側には間隔を存して仕切板４が取り付けられており、断熱壁２と仕切板４間には、ダクト５が形成されており、仕切板４の内側には、陳列室９が構成されている。また、断熱壁２の外側には、間隔を存して外側仕切板６が取り付けられており、断熱壁２と外側仕切板６間には、廃熱ダクト７が形成されている。
【００１６】
陳列室９の上部には、商品ラック１０が複数架設される。この商品ラック１０は、熱伝導性材料により構成された鋼板製材料を上下方向に多数の商品コラム３１が積み重なるように配置されていると共に、蛇行状の商品通路３２が形成され、同じ商品通路３２を形成する商品コラム３１は、同種類の商品が充填される。各商品コラム３１内には、上下に一列収納可能となっており、この商品コラム３１の上端部には、商品充填口３３が形成されていると共に、下端部には商品取出口３４が形成されている。また、商品取出口３４には、商品押さえ具３６が設けられており、上方から充填落下された商品が商品コラム３１から落下することを防止している。
【００１７】
更に、商品充填口３３には、商品コラム３１の最上端の商品を転動不能とするための商品保持具３５が設けられており、商品保持具３５に載置される商品は、後述する扉８の透明なガラス部材１１越しに販売時においてディスプレイとして、各商品ラック１０に充填された商品が見えるようになっている。
【００１８】
一方、陳列室９の底部には図示しないローラーを備え、少許前方に傾斜したデックパン１２が取り付けられており、このデックパン１２の上面は、商品を載置陳列する下陳列部２６が形成されている。
【００１９】
前記断熱壁２の下端前面には、上方に向けてデックパン１２の位置まで垂直に起立した前面部２Ａが形成されており、係る前面部２Ａの上端から下陳列部２６を構成する位置まで、例えばガラス部材により構成される前面部材２８が設けられている。尚、係る前面部材２８においても前記側板３の湾曲形状と合致させるため、上部から下部にかけて徐々に湾曲形状とされている。また、前面部材２８の内方には所定の間隔を存してデックパン１２の前端から上方に向けて起立するアクリル板２９が設けられている。
【００２０】
一方、前面開口部２７の上縁には第１の吐出口２１が形成されており、この第１の吐出口２１は、前記ダクト５と連通している。また、前記前面部材２８とアクリル板２９の間には吸込口２２が形成され、前記底部ダクト１３と連通している。また、前記仕切板４には前面部材２８の上端の高さより少許低い位置に第２の吐出口２３が形成されており、この第２の吐出口２３には、陳列室９側に突出して形成された可動式のフィン２４が設けられている。この第２の吐出口２３は第１の吐出口２１から吐出される冷気吐出量に比して少ない吐出量とされるように調整される。
【００２１】
そして、デックパン１２の下方は、前記ダクト５に連通した底部ダクト１３とされている。この底部ダクト１３内には送風機１４が設置されると共に、冷却器１６が配設されている。
【００２２】
また、断熱壁２の下部には、機械室１７が構成されており、この機械室１７内は、前記廃熱ダクト７と連通している。機械室１７内には、前記冷却器１６と共に環状の冷凍サイクルを構成する図示しない圧縮機、凝縮器等が配設されている。また、機械室１８の前面には、開閉自在に取り付けられたフロントパネル１９が設けられており、このフロントパネル１９の前面には、吸気口２０が複数形成されている。
【００２３】
他方、陳列室９上部の前面開口部２７には、図３に示す如く上側に枢設されると共に上下に回動可能な扉８が開閉自在に設けられている。この扉８は磁性材料にて構成されていると共に、前面には透視可能なガラス部材１１を備えていると共に、陳列室９の開口部２７の上縁及び上部両側縁に設けられた扉受け１５にて閉塞されている。そして、この扉８の例えば左側方の内面には、一端が前記扉受け１５に接続されると共に、常時この扉を開く方向、即ち上方に付勢するたガスダンパー４０が設けられている。
【００２４】
更に、扉受け１５の両側縁の前面には、図４に示す如き所定の高さを有する取付部材４１によって固定される磁石部材４２、４２が取り付けられている。この扉８を開放する際には、扉受け１５が設けられていない扉８の下端に手指をかけ、磁石部材４２、４２と扉８の結合を開放するように前方に引くことにより開放される。
【００２５】
これにより、扉８は上方に付勢されるガスダンパー４０によって上方に開放される。このとき、扉８は上下に回動されて開閉されるため、使用者が扉８を避けることなく扉８の開閉を行うため、使用者の作業の妨げを未然に回避することができる。
【００２６】
また、扉８は扉受け１５に設けられた磁石部材４２によって閉塞時の扉８を固定することができるようになると共に、使用者が磁石部材４２と扉８との結合を解くことによって容易に開放することができる。
【００２７】
更に、磁石部材４２は、所定の高さを有する取付部材４１に設けられているため、扉受け１５との間に所定の隙間を形成することができ、この隙間に手指を挿入し容易に扉８の開閉を行なうことができる。
【００２８】
また、扉８の側方下端には、錠受け４３が設けられている。この錠受け４３は図３に示す如く断面略Ｌ字状部材により構成されており、一方の面が扉８に固定されると共に、他方の面の下部には後述するロック機構４４を受けるための図示しない孔が形成されている。
【００２９】
扉８に形成された前記錠受け４３が設けられている位置に相当する扉受け１５には、上下に引掛棒４５が移動可能とされるロック機構４４が取り付けられている。このロック機構４４は、扉８の閉塞時において、引掛棒４５を上部に移動させ扉８に形成された錠受け４３の孔に挿入することにより、扉８の開放を禁止するものである。また、この扉８の開放の禁止を解除する際には、ロック機構４４の引掛棒４５を下部に移動させ、前記錠受け４３との結合を解除することにより、扉８の開放を可能とする。
【００３０】
これにより、使用者が商品充填時以外は、ロック機構４４によって扉８の開放を禁止とすることによって、顧客が誤って扉８を開放し、扉８が開放された状態で放置されることによる冷気の流れの乱れを未然に防止することができ、ショーケース１自体の冷却効率の低下を未然に回避することができる。更に、顧客が誤って商品取出口３４以外の場所から商品を取り出すことを未然に防止することができるようになる。
【００３１】
一方、扉８の下方において前記側板３と商品ラック１０との間には隙間が形成されている。この扉８の下端から商品ラック１０の下端までに形成される隙間には、側板３の形状に対応した断面略コ字状の風向板４６が設けられている。この風向板４６は、商品ラック１０の前端と略面一となるように設けられている。
【００３２】
また、扉８の下方に対応する側板３の内面には、図５に示す如く略断面Ｌ字状の分流板４７が設けられている。この分流板４７は、扉８の下端の形状によって取り付けられており、上方から降下した冷気の一部が側板３の内面に吹き付けられると共に、その他の冷気は、分流板４７の後方から風向板４６に沿って降下される。
【００３３】
以上の構成により、前記送風機１４が運転されると、底部ダクト１３内の空気は、後方のダクト５に向けて吹き出され、冷却器１６と熱交換した後吹き上げられ、冷気の一部は、仕切板４の背面に形成された第２の吐出口２３からわずかな冷気が吐出される。そして、残りの冷気は、開口部２７上縁の第１の吐出口２１から吐出され、係る冷気は扉８の内側、即ち、扉８の内方と商品ラック１０の前記商品保持具にディスプレイ用として保持された商品との間及び商品取出口３４に載置される商品に沿って冷気が降下する。
【００３４】
このとき、扉８の側方から下方に降下した冷気は、前記風向板２６に沿って下陳列部２６に降下され、開口部２７下縁に形成された吸込口２２より底部ダクト１３に帰還し、送風機１４に再び吸い込まれる。
【００３５】
これによって、陳列室９の開口部２７には冷気エアーカーテンが形成され、開口部２７からの外気の侵入が阻止若しくは抑制され、陳列室９内の冷却不良を未然に回避することができるようになる。そして、冷気エアーカーテンの一部が陳列室９内の上部に侵入して陳列室９上部、すなわち商品ラック１０の商品を冷却すると共に、仕切板４に形成された第２の吐出口２３から吐出される冷気によって下陳列部２６は冷却される。
【００３６】
このとき、風向板２６の前方に位置する詳細は後述する側板３の内面は、鋼板により構成されているため、前記冷気のエアーカーテンによって冷却され、結露が発生し易い。しかし、上述の如く風向板４６の上部には分流板４７が形成されているため、結露の発生しやすい側板３の内面に冷気が流下するため、未然に結露の発生を防止することができるようになる。
【００３７】
他方、前記断熱壁２の上部前端に位置する前記外側仕切板６には、外側吐出口２５が形成されており、この外側吐出口２５は、前記廃熱ダクト７と連通している。また、前記外側仕切板６の上面後部には図示しない開口が形成されている。
【００３８】
そして、前記冷凍サイクルが運転されると、機械室１７内において前記圧縮機及び凝縮器によって加熱された空気は、排熱ダクト７を通過して、大半は外側仕切板６の上面後部に形成された開口より排気され、一部は、外側吐出口２５より扉８の外側に吐出される。これによって、扉８は加熱され、未然に結露の発生を防止される。
【００３９】
次ぎに、図６乃至図１０を参照して側板３について説明する。図６は側板３の断熱材充填時の説明のための平面図、図７は図６のＡ−Ａ断面図、図８は図６のＢ−Ｂ断面図、図９は図６のＣ−Ｃ断面図、図１０は図６のＤ−Ｄ断面図を示している。側板３は鋼板製の内板５０と、硬質合成樹脂にて構成された外板５１と、これら内板５０と外板５１間に発砲充填された断熱材５２とから構成されている。また、側板３の下部には下陳列部２６内が透視可能とされるためのガラス部材５３が設けられ、内板５０及び外板５１は、このガラス部材５３取り付けのための開口５４、５５がそれぞれ形成されている。
【００４０】
ここで、外板５１は、周縁が内方に向けて所定曲率で折曲されたフランジ部５６が形成されていると共に、図６、図８及び図１０に示す如く、外板５１の前端、上端、下端前部及び開口５５周縁には、フランジ部５６から更に内方に折曲して形成される案内部５７が形成されている。
【００４１】
また、外板５１の内面には、内板５０と同じ素材により構成される鋼板５８が設けられる。この鋼板５８は、内板５０の外形と略同一の形状に形成されている。これにより、陳列室９内と外部との温度差から、硬質合成樹脂によって構成された外板５１と、鋼板製の内板５０との膨張率の相違によって生じる外板５１の変形を未然に回避することができる。尚、本実施例では、内板５０が鋼板製材料にて構成されると共に、外板５１が硬質合成樹脂製材料にて構成されているが、例えば、内板５０がステンレス製であった場合には、本実施例における鋼板５８は、ステンレス製の平板材料にて構成されるものとする。これは、内板５０と外板５１の構成材料の相違による膨張率の相違によって生じる側板３の変形を防止するためだからである。
【００４２】
内板５０は、図７に示す如く下端は、外板５１のフランジ部５６に対応して、略直角に折曲された後、外板５１の内面に向けて傾斜面が形成された保持部５９が形成されている。また、内板５０は、図９に示す如く後端は、外板５１のフランジ部５６の内面に密着するように、内方に略直角に形成されたフランジ部６０が形成されている。
【００４３】
また、ガラス部材５３が設けられる内板５０の開口５４と外板５１の開口５５には、断面略クランク状の取付板６１が設けられる。このとき、取付板６１の一面は内板５０の内面に密着されると共に、他方の面は外板５１の案内部５７の外面と密着するように設けられる。
【００４４】
更に、内板５０の開口５４と外板５１の開口５５の少許上方には、内板５０と外板５１の間隔の寸法と略同一幅の断熱材料にて構成される断熱材指向部材６５が設けられている。
【００４５】
以上の構成により、側板３は、外板５１の内面に前記鋼板５８が載置され、内板５０が外板５１の後端から挿入される。このとき、外板５１の前端、上端及び下端には案内部５７が形成されているため、この案内部５７に沿って内板５０を容易に挿入することができる。尚、外板５１と内板５０の端面、即ち、内板５０の上端と外板５１の案内部５７の接触部と、内板５０の下端に形成された保持部５９と外板５１のフランジ部５６の接触面と、内板５０のフランジ部６０の端面と外板５１の接触面及び、ガラス部材５３を挿入するための取付板６１と外板５１との間にはシール部材６２が設けられている。
【００４６】
そして、内板５０と外板５１が係合された後、内板５０の後端及び下端が内方に折曲して形成された取付部６３及び６４をネジ止めにより固定する。更に、取付部６３に予め前記断熱材指向部材６５に対向する位置に設けられた断熱材注入孔６６より、例えばウレタンなどの断熱材５２を注入する。断熱材５２の発泡圧によって内板５０及び外板５１が接着され、側板３が構成される。
【００４７】
以上の構成により、外板５１には前端、上端及び下端に案内部５７が形成されているため、断熱材５２の発泡圧によって断熱材５２が外部に漏出することを未然に回避することができる。また、側板３のガラス部材５３の少許上方には断熱材指向部材６５が形成されているため、この断熱材指向部材６５に対向する位置から断熱材５２が注入されることにより、断熱材５２が直接内板５０と外板５１の接合面に到達し、発泡圧によって断熱材５２が漏出することを未然に回避することができる。
【００４８】
また、充填された断熱材５２はガラス部材５３付近に設けられた断熱材指向部材６５に到達し、係る断熱材指向部材６５付近から断熱材５２が発泡し、ガラス部材５３付近に断熱材５２が密となり、結露が生じやすいガラス部材５３付近の断熱効果を向上させることができる。
【００４９】
【発明の効果】
以上詳述した如く本発明によれば、断面略コ字状の断熱壁と側板により前面に開口する陳列室を構成し、側板は、鋼板製の内板と、硬質合成樹脂にて構成された外板と、これら内板と外板間に発泡充填された断熱材とから構成されたショーケースにおいて、側板には、ガラス部材が設けられ、このガラス部材付近であって断熱材の注入口に対向する位置には、断熱材指向部材が設けられているので、断熱材が直接内板と外板の接合面に到達し、発泡圧によって断熱材が漏出することを未然に回避することができるようになる。
【００５０】
また、充填された断熱材はガラス部材付近に設けられた断熱材指向部材に到達し、係る指向部材付近から断熱材が発泡し、ガラス部材付近に断熱材が密となり、ガラス部材付近の断熱効果を向上させることができるようになる。
【００５１】
請求項２の発明によれば、請求項１の発明に加えて、外板には、周縁が内方に向けて折曲して形成されたフランジが形成されていると共に、更にその前部と、上部及び下部に、内方に折曲して形成された案内部が設けられているので、係る案内部に沿って容易に前記内板を挿入することができると共に、断熱材の発泡圧によって、断熱材が漏出することを未然に回避することができるようになる。
【００５２】
請求項３の発明によれば、請求項１又は請求項２の発明に加えて外板の内面に鋼板を設けたので、陳列室内と外部との温度差から、内板と外板の膨張率の相違によって生じる側板の変形を未然に回避することができるようになる。
【図面の簡単な説明】
【図１】  本発明のショーケースの正面図である。
【図２】  本発明のショーケースの縦断側面図である。
【図３】  本発明のショーケースの扉の縦断側面図である。
【図４】  図３のショーケースの正面図である。
【図５】  本発明のショーケースの上部の拡大縦断側面図である。
【図６】  側板の構造説明図である。
【図７】  図６のＡ−Ａ断面図である。
【図８】  図６のＢ−Ｂ断面図である。
【図９】  図６のＣ−Ｃ断面図である。
【図１０】  図６のＤ−Ｄ断面図である。
【図１１】  従来のショーケースの側板の構造説明図である。
【符号の説明】
１  ショーケース
２  断熱壁
３  側板
４  仕切板
５  ダクト
６  外側仕切板
７  廃熱ダクト
８  扉
９  陳列室
１０  商品ラック
１６  冷却器
１７  機械室
２６  下陳列部
２７  前面開口部
２８  前面部材
５０  内板
５１  外板
５２  断熱材
５３  ガラス部材
５４、５５  開口
５６、６０  フランジ部
５７  案内部
５８  鋼板
５９  保持部
６１  取付板
６２  シール部材
６３、６４  取付部
６５  断熱材指向部材
【図１】
0003960736.tif 000002
【図２】
0003960736.tif 000003
【図３】
0003960736.tif 000004
【図４】
0003960736.tif 000005
【図５】
0003960736.tif 000006
【図６】
0003960736.tif 000007
【図７】
0003960736.tif 000008
【図８】
0003960736.tif 000009
【図９】
0003960736.tif 000010
【図１０】
0003960736.tif 000011
【図１１】
0003960736.tif 000012